(57)【要約】      （修正有）【課題】赤色と青色の光強度比を調整することによって被照射植物の成長周期を効率的に調節することができる発光ダイオード照明装置を提供する。【解決手段】ランプホルダーと、光源プレートと、放熱シェードと、反射シェードと、集光シェードと、固定リングと、を備えるように構成され、光源プレートの上に赤色と青色の発光ダイオードが設けられる。【選択図】図１
0003181156.tif 000002
【実用新案登録請求の範囲】
【請求項１】
発光ダイオード照明装置であって、
中央部には口金を収容するための貫通孔が設けられ、かつ前記貫通孔の両側に対してそれぞれ突起アームが設けられるランプホルダーと、
上部にベースと封入部とを有する複数の発光ダイオードモジュールと、複数の放熱ガイド孔と、が設けられる光源プレートと、
前記ランプホルダー側であり、かつその上に外径が前記ランプホルダーの内径より小さい延在部が設けられる第１端と、前記第１端の反対側であり、複数の第１開孔が開設される平面枠が設けられる第２端とを有し、前記ランプホルダーに接続され、かつ収容部になるように囲んで形成される放熱シェードと、
前記平面枠の上に設けられ、かつ放熱シェードの各前記第１開孔に対応する複数の第２開孔が開設され、各前記発光ダイオードモジュールの各前記封入部が各前記第２開孔から突出するようにする反射シェードと、
前記反射シェードにおける前記放熱シェード側と反対の一側に設けられる集光シェードと、
前記集光シェードの外周縁に嵌着され、かつ複数の締め付け具が配置される固定リングと、を備え、
前記突起アームにより前記光源プレートを前記放熱シェードに貼り合わせるように前記光源プレートを前記放熱シェードの内部に圧着すると共に、各前記発光ダイオードモジュールを各前記第１開孔に嵌設するようにし、
また、前記固定リングと前記集光シェードとを前記複数の締め付け具により前記放熱シェードに締め付けるようにしたことを特徴とする、発光ダイオード照明装置。
【請求項２】
前記ランプホルダーの内壁上には、さらに少なくとも１つの凹み溝が設けられ、かつ前記延在部から外向きに前記凹み溝に嵌着するための少なくとも１つの係止部が延設されることを特徴とする、請求項１記載の発光ダイオード照明装置。
【請求項３】
前記係止部に押し付けられて前記凹み溝に緊密に貼り合わせると共に、前記放熱シェードと前記ランプホルダーとの間に挟持状態に装着される第１Ｏリングをさらに有することを特徴とする、請求項２記載の発光ダイオード照明装置。
【請求項４】
前記集光シェードの溝内に取り付けた上、前記反射シェードの上に嵌着され、最後に前記反射シェードを前記放熱シェードに接続するようにした第２Ｏリングをさらに有することを特徴とする、請求項１記載の発光ダイオード照明装置。
【請求項５】
前記締め付け具により前記固定リング、前記集光シェード、前記第２Ｏリング及び前記放熱シェードをこの順番に一体に締め付けることを特徴とする、請求項４記載の発光ダイオード照明装置。
【請求項６】
前記複数の発光ダイオードモジュールは、複数の赤色発光ダイオードモジュールと、複数の青色発光ダイオードモジュールと、を含むことを特徴とする、請求項１記載の発光ダイオード照明装置。
【請求項７】
前記赤色発光ダイオードモジュールと、前記青色発光ダイオードモジュールとの数の比が４：１から２：１の範囲であることを特徴とする、請求項６記載の発光ダイオード照明装置。
【請求項８】
前記赤色発光ダイオードモジュールの発光波長範囲が４３０ｎｍから４７０ｎｍであり、前記青色発光ダイオードモジュールの発光波長範囲が６２０ｎｍから６６０ｎｍであることを特徴とする、請求項６記載の発光ダイオード照明装置。
【請求項９】
発光ダイオード照明装置であって、
中央部には口金を収容するための貫通孔が設けられ、かつ前記貫通孔の両側に対してそれぞれ突起アームが設けられるランプホルダーと、
上部にベースと封入部とを有する複数の発光ダイオードモジュールと、複数の放熱ガイド孔と、が設けられる光源プレートと、
前記ランプホルダー側であり、かつその上に外径が前記ランプホルダーの内径より小さい延在部が設けられる第１端と、前記第１端の反対側であり、複数の第１開孔が開設される平面枠が設けられる第２端と、を有し、前記ランプホルダーに接続され、かつ収容部になるように囲んで形成される放熱シェードと、備え、
前記突起アームにより前記光源プレートを前記放熱シェードに貼り合わせるように前記光源プレートを前記放熱シェードの内部に圧着すると共に、各前記発光ダイオードモジュールを各前記第１開孔に嵌設するようにしたことを特徴とする、発光ダイオード照明装置。
【請求項１０】
前記ランプホルダーの内壁上には、さらに少なくとも１つの凹み溝が設けられ、かつ前記延在部から外向きに前記凹み溝に嵌着するための少なくとも１つの係止部が延設されることを特徴とする、請求項９記載の発光ダイオード照明装置。
【請求項１１】
前記係止部により押し付けられて前記凹み溝に緊密に貼り合わせると共に、前記放熱シェードと前記ランプホルダーとの間に挟持状態に装着される第１Ｏリングをさらに有することを特徴とする、請求項１０記載の発光ダイオード照明装置。
【請求項１２】
前記複数の発光ダイオードモジュールは、複数の赤色発光ダイオードモジュールと、複数の青色発光ダイオードモジュールと、を含むことを特徴とする、請求項９記載の発光ダイオード照明装置。
【請求項１３】
前記赤色発光ダイオードモジュールと、前記青色発光ダイオードモジュールとの数の比が４：１から２：１の範囲であることを特徴とする、請求項１２記載の発光ダイオード照明装置。
【請求項１４】
前記赤色発光ダイオードモジュールの発光波長範囲が４３０ｎｍから４７０ｎｍであり、前記青色発光ダイオードモジュールの発光波長範囲が６２０ｎｍから６６０ｎｍであることを特徴とする、請求項１２記載の発光ダイオード照明装置。
【考案の詳細な説明】
【技術分野】
【０００１】
本考案は、照明装置に関し、特に放熱効果を向上でき、かつ植物の生長を助長することができる、発光ダイオード照明装置に関するものである。
【背景技術】
【０００２】
従来より使用されている電球に代わって、発光ダイオードは電球のウォームアップ時間が不要で、反応速度が速く、体積が小さく、省電力、低汚染及び耐震などの特性を有している点から、現在、照明器具の主流となっている。
半導体に電流を印加すると、電子と正孔がぶつかり結合（再結合という）する。再結合された状態では、電子と正孔はもともともっていたエネルギーよりも、小さいエネルギーになる。その時に電子が保有している過剰なエネルギーの一部が光の形態として励起されて発光するのが発光ダイオードの発光原理である。
しかし、過剰なエネルギーは１００％効率で光の形態に変換できるわけではなく、光の形態として放出されなかったエネルギーの一部は熱エネルギーに変換されて放出される。従って、発光ダイオードの温度が高くなると、輝度が低下するのみならず、発光ダイオード自身及び発光ダイオードの封入材の劣化も加速される。
従来技術においては、一般の発光ダイオード照明装置は放熱プレートまたはフィンを発光ダイオードの光源プレートの裏面に貼り付けていて、生じる熱が光源プレートを介して放熱プレートまたはフィンに伝導して放出される。しかし、光源プレートの部材は放熱しにくい材料からなるものが多く、熱エネルギーが光源プレートに蓄積されるため、放熱効率を低下させ、発光ダイオードの損傷を引き起こす。
【考案の概要】
【考案が解決しようとする課題】
【０００３】
近年、発光ダイオードは、日常使われている生活用品だけでなく、農作物や花卉などの育成・栽培にも応用され、夜間の光照射により成長をコントロールする。菊花を例にすると、菊花は短日植物であるので、夜間電照を行うことによって、母株から得た挿し穂の頂芽の栄養成長を維持することができる。切花栽培の前期でも電照による開花抑制も図れる。これにより、商業栽培で切花の花茎を伸長する目的が達成できると共に、出荷時期を調節でき、周年栽培の目的も可能になる。  このほか、植物は特定の波長に対する反応が顕著であることは従来技術から知られている。特に赤色と青色の光線に対する反応がもっとも顕著的である。赤色の光線は、根、茎、葉及びその形成と開花、結実を促進できる。一方、青色の光線は、植物の栄養摂取による発育成長を促進できる。しかし、実際には、同じ発光ダイオードは、単色の光線しか使用できないので、使用の面では極めて不便である。
【０００４】
これらに鑑みて、本考案の考案者は、長年にわたって研究開発してきた実務経験に基づき、自らの創意工夫と鋭意試行錯誤を重ねた結果、上記従来技術で説明した欠点を効果的に改善できる、発光ダイオード照明装置を考案した。
【課題を解決するための手段】
【０００５】
本考案の第一の目的は、光源プレートと放熱シェードとを緊密に結合させることで発光ダイオードから生じる熱エネルギーが光源プレートを介して放熱シェードに直接に伝導され、かつ放熱シェードから均一に放出される、発光ダイオード照明装置を提供することにある。
【０００６】
本考案の第二の目的は、光源プレートの上に赤色と青色発光ダイオードが同時に設けられ、その数または光強度比を調整することによって、植物開花または腋芽発芽の抑制効果を効率的に達成できる、発光ダイオード照明装置を提供することにある。
【０００７】
本考案の発光ダイオード照明装置は、中央部には口金を収容するための貫通孔が設けられ、かつ前記貫通孔の両側に対してそれぞれ突起アームが設けられるランプホルダーと、上にベースと封入部とを有する複数の発光ダイオードモジュールと、複数の放熱ガイド孔と、が設けられる光源プレートと、前記ランプホルダー側であり、かつその上に外径が前記ランプホルダーの内径より小さい延在部が設けられる第１端と、前記第１端の反対側で、複数の第１開孔が開設される平面枠が設けられる第２端と、を有し、前記ランプホルダーに接続され、かつ収容部になるように囲んで形成される放熱シェードと、平面枠の上に設けられ、かつ放熱シェードの各第１開孔に対応する複数の第２開孔が開設され、各発光ダイオードモジュールの各封入部が各第２開孔から突出するようにする反射シェードと、前記反射シェードにおける前記放熱シェード側と反対する一側に設けられる集光シェードと、前記集光シェードの外周縁に嵌着され、かつ複数の締め付け具が配置される固定リングと、を備えるように構成される。
【０００８】
なお、前記突起アームにより前記光源プレートを前記放熱シェードに貼り合わせるように前記光源プレートを前記放熱シェードの内部に圧着すると共に、各前記発光ダイオードモジュールを各前記第１開孔に嵌設するようにする。
【０００９】
また、前記固定リングと前記集光シェードとを前記複数の締め付け具により前記放熱シェードに締め付けるようにする。
【考案の効果】
【００１０】
本考案に係る発光ダイオード照明装置の特長は、下記の通りである。
【００１１】
イ、従来技術に比べて、本考案は光源プレートに取り付けられた発光ダイオードモジュールの表面が放熱シェードと直接に貼り合わせるため、発光ダイオードモジュールから生じる熱が最短の伝達経路を経由して放熱シェードに伝導されて放出されていく。同時に、光源プレートの上に放熱ガイド孔を設けられていることから、発光ダイオードモジュールから生じる熱が均一に伝導されて照明装置の使用寿命を延長できる。
【００１２】
ロ、青色発光ダイオードと赤色発光ダイオードの数を調整することによって、植物の夜間照明に応用でき、植物の成長または腋芽の発芽を効果的に抑制することができる。
【図面の簡単な説明】
【００１３】
【図１】本考案に係る発光ダイオード照明装置の概略を示す分解模式図である。
【図２】本考案に係る発光ダイオード照明装置の細部を示す分解模式図である。
【図３】本考案に係る発光ダイオード照明装置の光源プレートを示す模式図である。
【図４】本考案に係る発光ダイオード照明装置を示す側断面模式図である。
【考案を実施するための形態】
【００１４】
本考案が提案した改良型の発光ダイオード照明装置を更に十分にかつ明白に記述するために、添付図面を参照しながら本考案の好ましい実施例を以下のとおり詳細に説明する。
【００１５】
図１ないし図４は、それぞれ、本考案の概略の分解模式図、細部の分解模式図、光源プレートの模式図、本考案の側断面模式図である。これらの図を合わせて参照すると、本考案に係る発光ダイオード照明装置は、ランプホルダー２と、光源プレート３と、放熱シェード４と、反射シェード５と、集光シェード６と、固定リング７と、を備えるように構成される。
ランプホルダー２の中央部には口金ｌを収容するための貫通孔２１が設けられ、かつ貫通孔２１の両側に対してそれぞれ突起アーム２２が設けられている。また、ランプホルダー２の内壁上には、さらに凹み溝２３が設けられている。光源プレート３は、その上に１０つの発光ダイオードモジュール３１と、１０つの放熱ガイド孔３２と、が設けられ、１０つの発光ダイオードモジュール３１は、赤色発光ダイオードモジュールと青色発光ダイオードモジュールに取り替えることができる。
例えば菊花へ照射する例としては、赤色発光ダイオードモジュールの発光波長範囲が４３０ｎｍから４７０ｎｍの範囲であると同時に、発光波長範囲が６２０ｎｍから６６０ｎｍである青色発光ダイオードモジュールの併用によって、菊花に対して腋芽発芽の抑制効果が得られる。その効果を高める点で、赤色発光ダイオードモジュールと青色発光ダイオードモジュールとの数の比または光強度比が４：１から２：１の範囲であることが望ましい。中でも２．５：１がより好ましい。
【００１６】
放熱シェード４は、ランプホルダー２に接続され、かつ収容部になるように囲んで形成されている。また、この放熱シェード４は、第１端４１と、第２端４２と、を有する。第１端４１は、ランプホルダー２側であり、かつその上に延在部４１１が設けられている。なお、延在部４１１から外向きに凹み溝２３に嵌入するための少なくとも１つの係止部４１２が延設されている。
第１端４１の反対側の第２端４２には、平面枠４２１が設けられ、平面枠４２１の上には、複数の第１開孔４２２が開設される。なお、突起アーム２２により光源プレート３を放熱シェード４に貼り合わせるように光源プレート３を放熱シェード４の内部に圧着すると共に、各発光ダイオードモジュール３１を各第１開孔４２２に嵌設する。
【００１７】
反射シェード５は、平面枠４２１の上に設けられ、かつ放熱シェード４の各第１開孔４２２に対応する複数の第２開孔５１が開設され、各発光ダイオードモジュール３１の各封入部３１２が当該第２開孔５１から突出するようにする。また、反射シェード５は、フランジ５３をさらに有してもよい。
集光シェード６は、反射シェード５における放熱シェード４側とは反対する一側に設けられている。固定リング７は、集光シェード６の外周縁に嵌着され、かつ複数の締め付け具７１が配置され、固定リング７と集光シェード６とを複数の締め付け具７１により放熱シェード４に締め付けるようにする。延在部４１１の外側に嵌着され、かつ放熱シェード４とランプホルダー２との間に挟持状態に装着される第１Ｏリング８をさらに有してもよい。また、反射シェード５の外周縁に嵌着され第２Ｏリング９をさらに有してもよい。
フランジ５３は、第２Ｏリング９と平面枠４２１との間に挟持状態に装着され、第２Ｏリング９は、集光シェード６と放熱シェード４との間に挟持状態に装着されている。なお、締め付け具７１により固定リング７、集光シェード６、第２Ｏリング９を順番に放熱シェード４に締め付けるようにする。
【００１８】
以上は本考案を完全に開示してその要旨を十分に当業者に説明するためのものである。上述したとおり、本考案は下記の特長を有する。
イ、光源プレート３と放熱シェード４とを緊密に貼り合わせる方式によって、光源プレート３に取り付けられた発光ダイオードモジュール３１から生じる熱が、光源プレート３から放熱シェード４へと直接伝導し、外部へ放出される。発光ダイオードから生じる熱をいったん光源プレート３を通過してから放熱プレートまたはフィンを用いて伝導する従来技術の方式に比べて、本考案は、光源プレート３に取り付けられた発光ダイオードモジュール３１の表面を放熱シェード４と直接に貼り合わせるため、発光ダイオードモジュール３１から生じる熱が最短の伝達経路を経由して放熱シェード４に伝導されて放出されていく。同時に、光源プレート３の上に放熱ガイド孔３２が設けられてもよい。本考案によれば、熱が均一に伝導されて照明装置の使用寿命を延長できる。
【００１９】
ロ、青色発光ダイオードと赤色発光ダイオードの数を調整することによって、植物の夜間照明に応用でき、植物の成長または腋芽の発芽を効果的に抑制することができる。
【００２０】
上述の詳細な説明は、本考案の実施可能な実施例を具体的に説明したものであるが、当該実施例は、本考案の権利範囲を制限するものではなく、凡そ本考案の技術精神を逸脱せずなされる同等の効果を持つ実施または変更は、すべて本考案の実用新案特許請求範囲内に含まれる。
【符号の説明】
【００２１】
ｌ      口金
２      ランプホルダー
２１    貫通孔
２２    突起アーム
２３    凹み溝
３      光源プレート
３１    発光ダイオードモジュール
３１１  ベース
３１２  封入部
３２    放熱ガイド孔
４      放熱シェード
４１    第１端
４１１  延在部
４１２  係止部
４２    第２端
４２１  平面枠
４２２  第１開孔
５      反射シェード
５１    第２開孔
５２    反射面
５３    フランジ
６      集光シェード
７      固定リング
７１    締め付け具
８      第１Ｏリング
９      第２Ｏリング
【図１】
0003181156.tif 000003
【図２】
0003181156.tif 000004
【図３】
0003181156.tif 000005
【図４】
0003181156.tif 000006
【手続補正書】
【提出日】平成24年11月20日(2012.11.20)
【手続補正１】
【補正対象書類名】実用新案登録請求の範囲
【補正対象項目名】全文
【補正方法】変更
【補正の内容】
【実用新案登録請求の範囲】
【請求項１】
発光ダイオード照明装置であって、
中央部には口金を収容するための貫通孔が設けられ、かつ前記貫通孔の両側に対してそれぞれ突起アームが設けられるランプホルダーと、
上部にベースと封入部とを有する複数の発光ダイオードモジュールと、複数の放熱ガイド孔と、が設けられる光源プレートと、
前記ランプホルダー側であり、かつその上に外径が前記ランプホルダーの内径より小さい延在部が設けられる第１端と、前記第１端の反対側であり、複数の第１開孔が開設される平面枠が設けられる第２端とを有し、前記ランプホルダーに接続され、かつ収容部になるように囲んで形成される放熱シェードと、
前記平面枠の上に設けられ、かつ放熱シェードの各前記第１開孔に対応する複数の第２開孔が開設され、各前記発光ダイオードモジュールの各前記封入部が各前記第２開孔から突出するようにする反射シェードと、
前記反射シェードにおける前記放熱シェード側と反対の一側に設けられる集光シェードと、
前記集光シェードの外周縁に嵌着され、かつ複数の締め付け具が配置される固定リングと、を備え、
前記突起アームにより前記光源プレートを前記放熱シェードに貼り合わせるように前記光源プレートを前記放熱シェードの内部に圧着すると共に、各前記発光ダイオードモジュールを各前記第１開孔に嵌設するようにし、
また、前記固定リングと前記集光シェードとを前記複数の締め付け具により前記放熱シェードに締め付けるようにしたことを特徴とする、発光ダイオード照明装置。
【請求項２】
前記ランプホルダーの内壁上には、さらに少なくとも１つの凹み溝が設けられ、かつ前記延在部から外向きに前記凹み溝に嵌着するための少なくとも１つの係止部が延設されることを特徴とする、請求項１記載の発光ダイオード照明装置。
【請求項３】
前記係止部に押し付けられて前記凹み溝に緊密に貼り合わせると共に、前記放熱シェードと前記ランプホルダーとの間に挟持状態に装着される第１Ｏリングをさらに有することを特徴とする、請求項２記載の発光ダイオード照明装置。
【請求項４】
前記集光シェードの溝内に取り付けた上、前記反射シェードの上に嵌着され、最後に前記反射シェードを前記放熱シェードに接続するようにした第２Ｏリングをさらに有することを特徴とする、請求項１記載の発光ダイオード照明装置。
【請求項５】
前記締め付け具により前記固定リング、前記集光シェード、前記第２Ｏリング及び前記放熱シェードをこの順番に一体に締め付けることを特徴とする、請求項４記載の発光ダイオード照明装置。
【請求項６】
前記複数の発光ダイオードモジュールは、複数の赤色発光ダイオードモジュールと、複数の青色発光ダイオードモジュールと、を含むことを特徴とする、請求項１記載の発光ダイオード照明装置。
【請求項７】
前記赤色発光ダイオードモジュールと、前記青色発光ダイオードモジュールとの数の比が４：１から２：１の範囲であることを特徴とする、請求項６記載の発光ダイオード照明装置。
【請求項８】
前記青色発光ダイオードモジュールの発光波長範囲が４３０ｎｍから４７０ｎｍであり、前記赤色発光ダイオードモジュールの発光波長範囲が６２０ｎｍから６６０ｎｍであることを特徴とする、請求項６記載の発光ダイオード照明装置。
【請求項９】
発光ダイオード照明装置であって、
中央部には口金を収容するための貫通孔が設けられ、かつ前記貫通孔の両側に対してそれぞれ突起アームが設けられるランプホルダーと、
上部にベースと封入部とを有する複数の発光ダイオードモジュールと、複数の放熱ガイド孔と、が設けられる光源プレートと、
前記ランプホルダー側であり、かつその上に外径が前記ランプホルダーの内径より小さい延在部が設けられる第１端と、前記第１端の反対側であり、複数の第１開孔が開設される平面枠が設けられる第２端と、を有し、前記ランプホルダーに接続され、かつ収容部になるように囲んで形成される放熱シェードと、備え、
前記突起アームにより前記光源プレートを前記放熱シェードに貼り合わせるように前記光源プレートを前記放熱シェードの内部に圧着すると共に、各前記発光ダイオードモジュールを各前記第１開孔に嵌設するようにしたことを特徴とする、発光ダイオード照明装置。
【請求項１０】
前記ランプホルダーの内壁上には、さらに少なくとも１つの凹み溝が設けられ、かつ前記延在部から外向きに前記凹み溝に嵌着するための少なくとも１つの係止部が延設されることを特徴とする、請求項９記載の発光ダイオード照明装置。
【請求項１１】
前記係止部により押し付けられて前記凹み溝に緊密に貼り合わせると共に、前記放熱シェードと前記ランプホルダーとの間に挟持状態に装着される第１Ｏリングをさらに有することを特徴とする、請求項１０記載の発光ダイオード照明装置。
【請求項１２】
前記複数の発光ダイオードモジュールは、複数の赤色発光ダイオードモジュールと、複数の青色発光ダイオードモジュールと、を含むことを特徴とする、請求項９記載の発光ダイオード照明装置。
【請求項１３】
前記赤色発光ダイオードモジュールと、前記青色発光ダイオードモジュールとの数の比が４：１から２：１の範囲であることを特徴とする、請求項１２記載の発光ダイオード照明装置。
【請求項１４】
前記青色発光ダイオードモジュールの発光波長範囲が４３０ｎｍから４７０ｎｍであり、前記赤色発光ダイオードモジュールの発光波長範囲が６２０ｎｍから６６０ｎｍであることを特徴とする、請求項１２記載の発光ダイオード照明装置。
【手続補正２】
【補正対象書類名】明細書
【補正対象項目名】００１５
【補正方法】変更
【補正の内容】
【００１５】
図１ないし図４は、それぞれ、本考案の概略の分解模式図、細部の分解模式図、光源プレートの模式図、本考案の側断面模式図である。これらの図を合わせて参照すると、本考案に係る発光ダイオード照明装置は、ランプホルダー２と、光源プレート３と、放熱シェード４と、反射シェード５と、集光シェード６と、固定リング７と、を備えるように構成される。
ランプホルダー２の中央部には口金ｌを収容するための貫通孔２１が設けられ、かつ貫通孔２１の両側に対してそれぞれ突起アーム２２が設けられている。また、ランプホルダー２の内壁上には、さらに凹み溝２３が設けられている。光源プレート３は、その上に１０つの発光ダイオードモジュール３１と、１０つの放熱ガイド孔３２と、が設けられ、１０つの発光ダイオードモジュール３１は、赤色発光ダイオードモジュールと青色発光ダイオードモジュールに取り替えることができる。
例えば菊花へ照射する例としては、青色発光ダイオードモジュールの発光波長範囲が４３０ｎｍから４７０ｎｍの範囲であると同時に、発光波長範囲が６２０ｎｍから６６０ｎｍである赤色発光ダイオードモジュールの併用によって、菊花に対して腋芽発芽の抑制効果が得られる。その効果を高める点で、赤色発光ダイオードモジュールと青色発光ダイオードモジュールとの数の比または光強度比が４：１から２：１の範囲であることが望ましい。中でも２．５：１がより好ましい。